(57)【要約】【課題】消火器の収納の有無を外部から確認が可能で、かつ薄型化が可能な消火栓装置、消火器箱を提供する。【解決手段】本発明に係る消火栓装置１は、消火器収納部５と、消火器収納部５の前面に設けられて開口窓部９を有する消火器扉７と、開口窓部９を覆うように設けられた透明板１１とを備えた消火栓装置１であって、開口窓部９の内面側で、かつ開口窓部９の少なくとも上辺側と下辺側に透明板１１を取り付ける帯板状の上辺取付部材４１及び下辺取付部材４３を備え、これらの取付部材４１、４３は、これらを消火器扉７に固定する固定片部４７と、透明板１１を消火器扉７の内面側との間で挟持する挟持片部４９とを有し、挟持片部４９は、前記取付部材の軸方向で間欠的に設けられ、挟持片部４９が設けられていない箇所に消火器３７の最大径が位置するように消火器３７を配置するようにしたことを特徴とするものである。【選択図】  図１
2019076578.tif 000002
【特許請求の範囲】
【請求項１】
消火器収納部と、該消火器収納部の前面に設けられて開口窓部を有する消火器扉と、該開口窓部を覆うように設けられた透明板とを備えた消火栓装置であって、
前記開口窓部の内面側で、かつ該開口窓部の少なくとも上辺側と下辺側に前記透明板を取り付ける取付部材を備え、
該取付部材は、該取付部材を前記消火器扉に固定する固定片部と、前記透明板を前記消火器扉の内面側との間で挟持する挟持片部とを有し、
該挟持片部は、前記取付部材の軸方向で間欠的に設けられ、前記挟持片部が設けられていない箇所に消火器の最大径が位置するように消火器を配置するようにしたことを特徴とする消火栓装置。
【請求項２】
前記挟持片部は第１屈曲部を介して前記固定片部から立ち上がる立上り片部と、第２屈曲部を介して前記固定片部に平行となる方向に延出して前記透明板を押える押え片部とを備えてなり、
前記消火器扉を閉扉した状態で、前記押え片部から前記消火器収納部の背面までの距離をＡ、前記透明板から前記消火器収納部の背面までの距離をＢ、前記消火器の最大径をＣとしたときに、Ａ≦Ｃ≦Ｂの関係に各寸法が設定されていることを特徴とする請求項１記載の消火栓装置。
【請求項３】
消火器の最大径が位置する前記消火器収納部における背面を、背面側に突出させたことを特徴とする請求項１又は２に記載の消火栓装置。
【請求項４】
消火器収納部と、該消火器収納部の前面に設けられて開口窓部を有する消火器扉と、該開口窓部を覆うように設けられた透明板とを備えた消火器箱であって、
前記開口窓部の内面側で、かつ該開口窓部の少なくとも上辺側と下辺側に前記透明板を取り付ける取付部材を備え、
該取付部材は、該取付部材を前記消火器扉に固定する固定片部と、前記透明板を前記消火器扉の内面側との間で挟持する挟持片部とを有し、
該挟持片部は、前記取付部材の軸方向で間欠的に設けられ、前記挟持片部が設けられていない箇所に消火器の最大径が位置するように消火器を配置するようにしたことを特徴とする消火器箱。
【請求項５】
前記挟持片部は第１屈曲部を介して前記固定片部から立ち上がる立上り片部と、第２屈曲部を介して前記固定片部に平行となる方向に延出して前記透明板を押える押え片部とを備えてなり、
前記消火器扉を閉扉した状態で、前記押え片部から前記消火器収納部の背面までの距離をＡ、前記透明板から前記消火器収納部の背面までの距離をＢ、前記消火器の最大径をＣとしたときに、Ａ≦Ｃ≦Ｂの関係に各寸法が設定されていることを特徴とする請求項４記載の消火器箱。
【請求項６】
消火器の最大径が位置する前記消火器収納部における背面を、背面側に突出させたことを特徴とする請求項４又は５に記載の消火器箱。
【発明の詳細な説明】
【技術分野】
【０００１】
本発明は、例えば高速道路のトンネル等に設置される消火栓装置、消火器箱に関する。
【背景技術】
【０００２】
高速道路や自動車専用道路などのトンネル内に設置される消火栓装置には、消火器収納部が設けられ、消火器を立てた状態で収納している。
消火器が消火器収納部に収納されているか否かの確認作業は、例えば点検車両からトンネル壁面に向けてライトからの光を当てて走行しながら行うことを予定しており、このためには、消火器が定位置に載置されることが必要となり、このような要請を満たすものとして、例えば特許文献１には、「覗き窓を有する消火器扉を開閉自在に設けた筐体内に消火器を収納したトンネル消火器装置に於いて、前記覗き窓を介して外部から視認可能な所定位置に前記消火器を配置する位置決め構造を設けたことを特徴とするトンネル消火器装置。」が提案されている。
【先行技術文献】
【特許文献】
【０００３】
【特許文献１】特開２０１１−４１６３５号公報
【発明の概要】
【発明が解決しようとする課題】
【０００４】
消火器を収納した消火栓装置をトンネル内に設置する場合、上記のように消火器の有無を外部から確実に確認できるか否かの問題以外に、消火栓装置の奥行きを短くした、いわゆる薄型化が実現できるか否かも問題となる。
消火栓装置の薄型化の問題は、箱抜きして消火栓装置を埋め込むように設置できないシールドトンネルの場合に特に問題となる。
この点、特許文献１の消火栓装置では、薄型化の問題についても何らの検討もされていない。
【０００５】
発明者は、消火器の有無を外部から確認できるようにした消火栓装置についての薄型化を検討したところ、覗き窓には通常透明のアクリル板等が取り付けられるが、アクリル板等を取り付けるための枠部材等が薄型化を阻む原因となることに気付いた。
そして、このような問題は、消火器を収納する消火器箱についても存在する。
【０００６】
本発明は、かかる課題を解決するためになされたものであり、消火器の収納の有無を外部から確認が可能で、かつ薄型化が可能な消火栓装置、消火器箱を提供することを目的としている。
【課題を解決するための手段】
【０００７】
（１）本発明に係る消火栓装置は、消火器収納部と、該消火器収納部の前面に設けられて開口窓部を有する消火器扉と、該開口窓部を覆うように設けられた透明板とを備えた消火栓装置であって、
前記開口窓部の内面側で、かつ該開口窓部の少なくとも上辺側と下辺側に前記透明板を取り付ける取付部材を備え、
該取付部材は、該取付部材を前記消火器扉に固定する固定片部と、前記透明板を前記消火器扉の内面側との間で挟持する挟持片部とを有し、
該挟持片部は、前記取付部材の軸方向で間欠的に設けられ、前記挟持片部が設けられていない箇所に消火器の最大径が位置するように消火器を配置するようにしたことを特徴とするものである。
【０００８】
（２）また、上記（１）に記載のものにおいて、前記挟持片部は第１屈曲部を介して前記固定片部から立ち上がる立上り片部と、第２屈曲部を介して前記固定片部に平行となる方向に延出して前記透明板を押える押え片部とを備えてなり、
前記消火器扉を閉扉した状態で、前記押え片部から前記消火器収納部の背面までの距離をＡ、前記透明板から前記消火器収納部の背面までの距離をＢ、前記消火器の最大径をＣとしたときに、Ａ≦Ｃ≦Ｂの関係に各寸法が設定されていることを特徴とするものである。
【０００９】
（３）また、上記（１）又は（２）に記載のものにおいて、消火器の最大径が位置する前記消火器収納部における背面を、背面側に突出させたことを特徴とするものである。
【００１０】
（４）本発明に係る消火器箱は、消火器収納部と、該消火器収納部の前面に設けられて開口窓部を有する消火器扉と、該開口窓部を覆うように設けられた透明板とを備えた消火器箱であって、
前記開口窓部の内面側で、かつ該開口窓部の少なくとも上辺側と下辺側に前記透明板を取り付ける取付部材を備え、
該取付部材は、該取付部材を前記消火器扉に固定する固定片部と、前記透明板を前記消火器扉の内面側との間で挟持する挟持片部とを有し、
該挟持片部は、前記取付部材の軸方向で間欠的に設けられ、前記挟持片部が設けられていない箇所に消火器の最大径が位置するように消火器を配置するようにしたことを特徴とするものである。
【００１１】
（５）また、上記（４）に記載のものにおいて、前記挟持片部は第１屈曲部を介して前記固定片部から立ち上がる立上り片部と、第２屈曲部を介して前記固定片部に平行となる方向に延出して前記透明板を押える押え片部とを備えてなり、
前記消火器扉を閉扉した状態で、前記押え片部から前記消火器収納部の背面までの距離をＡ、前記透明板から前記消火器収納部の背面までの距離をＢ、前記消火器の最大径をＣとしたときに、Ａ≦Ｃ≦Ｂの関係に各寸法が設定されていることを特徴とするものである。
【００１２】
（６）また、上記（４）又は（５）に記載のものにおいて、消火器の最大径が位置する前記消火器収納部における背面を、背面側に突出させたことを特徴とするものである。
【発明の効果】
【００１３】
本発明に係る消火栓装置、消火器箱においては、開口窓部の内面側で、かつ該開口窓部の少なくとも上辺側と下辺側に透明板を取り付ける取付部材を備え、該取付部材は、該取付部材を前記消火器扉に固定する固定片部と、前記透明板を前記消火器扉の内面側との間で挟持する挟持片部とを有し、該挟持片部は、前記取付部材の軸方向で間欠的に設けられ、前記挟持片部が設けられていない箇所に消火器の最大径が位置するように消火器を配置するようにしたことにより、消火器の収納の有無を外部から確認が可能で、かつ消火栓装置、消火器箱の薄型化が実現できる。
【図面の簡単な説明】
【００１４】
【図１】本発明の実施の形態に係る消火栓装置の閉扉状態の正面図である。
【図２】本発明の実施の形態に係る消火栓装置の開扉状態の正面図である。
【図３】本発明の実施の形態に係る消火栓装置の消火器収納部の説明図である。
【図４】本発明の実施の形態に係る消火栓装置の消火栓扉の内面側の説明図である。
【図５】本発明の実施の形態に係る取付部材の説明図であり、正面図（ａ）、左側面図（ｂ）及び右側面図（ｃ）を示している。
【図６】本発明の実施の形態に係る消火栓装置の消火器収納部の他の態様の説明図である。
【発明を実施するための形態】
【００１５】
本実施の形態に係る消火栓装置１は、筐体３内に設けられた消火器収納部５（図３参照）と、消火器収納部５の前面に開閉可能な消火器扉７と、消火器扉７の前面に設けられた開口窓部９と、開口窓部９を覆うように設けられた透明板１１とを備えたものである。
もっとも、消火栓装置１の筐体３には、消火器収納部５以外にも、消火用のホース１３を収容するホース収容部１５、ホース１３の引き出しのために開閉する前傾式扉１７等が設けられている。
以下においては、消火栓装置１の全体構成を概説した後、本発明の特徴部分である消火器収納部５及び消火器扉７について詳細に説明する。
【００１６】
＜消火栓装置の全体構成＞
消火栓装置１は、図１、図２に示すように、箱状の筐体３と、筐体３の前面に設けられた開口部１９ａを有する前面パネル１９と、前面パネル１９の開口部１９ａに開閉可能に設けられた前傾式扉１７とを備えている。
なお、本明細書において、消火栓装置１における位置を示す用語としての「前」とは、前面パネル１９側をいい、「奥」とは背面パネル側をいう。
以下、各構成を詳細に説明する。
【００１７】
＜筐体＞
筐体３は、図１、図２に示すように、矩形の箱状からなり、筐体３内には内巻きに巻き回されたホース１３を収納するホース収容部１５が設けられ、またホース収容部１５の右側に、メンテナンス弁等を有する配管系統２１が設けられている。
【００１８】
＜前面パネル＞
前面パネル１９は、筐体３の前面に設けられ、ホース収容部１５の中央開口部２３の前方に位置する部位が開口しており、この開口部１９ａを開閉可能に前傾式扉１７が取り付けられ、また前面パネル１９の左側には消火器扉７が開閉可能に設けられている。
【００１９】
＜前傾式扉＞
前傾式扉１７は板状の金属板から構成された横長の矩形状をしており、上述のように前面パネル１９の開口部１９ａを開閉可能に取り付けられている。
前傾式扉１７は、下辺両端に回動軸２４が設けられ、開口部１９ａを閉鎖状態から、図２に示すように、略１８０°開くことができる。
前傾式扉１７の内面側には、消火ノズル２５を着脱可能に保持する消火ノズル保持部２７及び、ホース１３に消火水を供給する消火水供給管路に設けられた消火栓弁を開閉操作する操作レバー２９が設けられている。
【００２０】
＜ホース収容部＞
ホース収容部１５は、図１、図２に示すように、中央開口部２３を挟んで立設された一対の縦辺部３１と、一対の縦辺部３１の上端同士及び下端同士を連結するように設けられた一対の横辺部３３を備え、この枠体における一対の縦辺部３１に平面視で略L字状の帯板部３５が一対設けられている。
ホース１３は、この一対の帯板部３５と背面パネル（筐体３の背面）との空間において内巻きされている。
【００２１】
＜消火器収納部＞
消火器収納部５は、筐体３内の図１、２中左側の領域に形成されている。消火器収納部５には、図３に示すように、２本の消火器３７が横並びで立てた状態で載置できる消火器載置台３９が設けられている。
本発明では、筐体３の奥行きを極力短くした、いわゆる薄型化を志向しており、消火器収納部５の奥行きも、図３に示すように、収納した消火器３７の直径とほぼ同一の寸法に設定されている。消火器収納部５の奥行寸法の具体例については後述する。
【００２２】
なお、図３において、破線と実線の丸は消火器３７の載置場所を示すものであり、破線同士と実線同士は２本の消火器３７を最も近づけて（２本の消火器３７が当接する状態で）載置する場合を示したものである。消火器３７を載置するスペースは、実線と破線で囲まれる領域であり、例えば図中左側の消火器３７が破線の位置に載置された場合、図中右側の消火器３７は破線の位置から実線の位置の範囲内であれば載置することができる。
【００２３】
奥行きを極めて狭くしていることに関連して、消火器扉７の内面側の構造に特徴があるので、以下この点を図３、図４に基づいて説明する。
内部の消火器３７を外部から視認できるようにするために、消火器扉７には、高さ方向で約中央から下方に亘る開口窓部９を設け、開口窓部９を覆うように透明板１１が開口窓部９の内面側に設置されている。
そして、透明板１１を消火器扉７の内面側に取り付けるために、図４に示すように、開口窓部９の上辺に設けられた帯板状の上辺取付部材４１、下辺に設けられた下辺取付部材４３、及び両側辺に設けられた側辺取付部材４５が設けられている。
【００２４】
上辺取付部材４１と下辺取付部材４３が本発明の取付部材に相当し、上辺取付部材４１と下辺取付部材４３は形状が同じであるため、下辺取付部材４３を例に挙げて以下に説明する。
下辺取付部材４３は、図５に示すように、下辺取付部材４３を消火器扉７の内面に固定する固定片部４７と、透明板１１を消火器扉７の内面側との間で挟持する挟持片部４９とを有している。
そして、挟持片部４９は第１屈曲部５１を介して固定片部４７から立ち上がる立上り片部５３と、第２屈曲部５５を介して固定片部４７に平行となる方向に延出して透明板１１を押える押え片部５７とを備えている。
【００２５】
押え片部５７は、図３に示すように、消火器３７が載置されたときに消火器３７の最大径が位置する部位には設けられていない。
具体的には、本実施の形態の消火器収納部５は、２本の消火器３７を収納するものであることから、押え片部５７は、両端と中央部に設けられている。
消火器３７の最大径が位置する部位に押え片部５７を設けていない理由は以下の通りである。
【００２６】
本実施の形態では消火栓装置１に収納する部材の中で最も奥行きのある消火器３７の収納部の奥行き寸法を極めて短くして筐体３の薄型化を実現するため、押え片部５７から消火器収納部５の背面５９までの距離をＡ、消火器３７の最大径をＣとしたときに、Ａ≦Ｃの関係に設定している。このため、押え片部５７の位置に消火器３７の最大径が位置すると消火器３７を収納できない。そこで、消火器３７の最大径が位置する部位には押え片部５７を設けないようにしている。
もっとも、消火器３７が収納できるためには、押え片部５７を設けていない箇所、すなわち透明板１１のある箇所から消火器収納部５の背面５９までの距離をＢとすると、Ｃ≦Ｂの関係になっている。
つまり、Ａ≦Ｃ≦Ｂの関係に各寸法が設定されており、これによって、消火器３７の奥行き寸法を極めて短くして、筐体３の薄型化を実現している。
【００２７】
以上のように構成された本実施の形態の消火栓装置１においては、透明板１１を消火器扉７の内面側に取り付ける取付部材における押え片部５７を取付部材の軸方向で間欠的に設けることで、消火器３７が載置されたときに消火器３７の最大径が位置する部位には押え片部５７がないようにしたので、消火器３７を載置したときに邪魔になるものがなく、消火器収納部５の奥行きを消火器３７の最大径とほぼ同等にするという薄型化が実現できる。
【００２８】
また、図３に示すように、消火器３７を消火器収納部５に載置する際には、消火器３７の最大径が押え片部５７のない箇所になるようにすることになり、取付部材が消火器３７の載置の際の位置決めの指標となる。
そのため、従来例のように、消火器３７の載置する位置の指標を別途設ける必要がなく、当該位置に消火器３７を載置することで、内部に収納されている消火器３７を外部から確実に視認することができる。
【００２９】
なお、上記の例では、消火器収納部５に消火器３７を２本載置する例であったが、例えば３本載置する場合には、上辺取付部材４１及び下辺取付部材４３には、両端に挟持片部４９を設けると共に両端に挟まれる中間部の２箇所に挟持片部４９を間欠的に設けるようにすればよい。また、４本の消火器３７を載置する場合には、上辺取付部材４１及び下辺取付部材４３には、両端に挟持片部４９を設けると共に両端に挟まれる中間部の３箇所に挟持片部４９を間欠的に設けるようにすればよい。
【００３０】
また、上記の例では、取付部材を、上辺取付部材４１、下辺取付部材４３及び一対の側辺取付部材４５の４本の直線状の板状体から構成したものであったが、本発明の取付部材はこれに限られるものではなく、開口窓部９を囲むような矩形の枠体状のものや、上辺と一方の側辺とが一体となったＬ字状のものと、下辺と他方の側辺とが一体となったＬ字状のものの組合せたようなものであってもよい。
【００３１】
また、上記の説明は、消火器扉７の内面側に設ける取付部材の形状を工夫することで、筐体３自体の形状を変えることなく、消火器収納部５の奥行きを確保するようにしたものである。
しかし、消火栓装置の設置場所によっては、消火器収納部５の背面側にスペースがある場合があり、このような場合には、消火器収納部５の背面を、背面側に突出させるようにしてもよい。この点を、具体的に以下説明する。
【００３２】
例えばシールドトンネル内の監視員通路上に消火栓装置を設置する場合、シールドトンネル壁面側に架台を設けて該架台に消火栓装置を立設することが考えられ、このような場合には、シールドトンネルの壁面が湾曲していることから消火栓装置の下部には壁面との間に僅かなスペースがある。したがって、このスペースに対応する部位については、消火栓装置の筐体を背面側に突出させることができるので、図６に示すように、消火器収納部５の背面５９を背面側に僅かに突出させるようにしてもよい。突出させる部位は、筐体３の全体ではなく、少なくとも消火器の最大径が位置する消火器収納部５の背面であり、より具体的には消火器収納部５の高さ方向で下から約１/２の範囲である。
なお、背面側に突出させる部位は、筐体３の加工の手間等を考慮して、消火器収納部５のみではなく、ホース収納部１５の下部まで含んでもよい。
このように、消火器収納部５の背面５９をわずかに背面側に突出させることで、消火器扉７の内面側に設ける取付部材の形状を工夫することと相俟って、筐体３全体の奥行きを大きくすることなく、消火器３７の収納が可能となる。
【００３３】
また、上記の説明は、筐体３の内部に消火用のホース１３を収納する消火栓装置１について説明したが、筐体の内部に消火器のみを収納する消火器箱についても同様に適用することができる。
【符号の説明】
【００３４】
１  消火栓装置
３  筐体
５  消火器収納部
７  消火器扉
９  開口窓部
１１  透明板
１３  ホース
１５  ホース収容部
１７  前傾式扉
１９  前面パネル
１９ａ  開口部
２１  配管系統
２３  中央開口部
２４  回動軸
２５  消火ノズル
２７  消火ノズル保持部
２９  操作レバー
３１  縦辺部
３３  横辺部
３５  帯板部
３７  消火器
３９  消火器載置台
４１  上辺取付部材
４３  下辺取付部材
４５  側辺取付部材
４７  固定片部
４９  挟持片部
５１  第１屈曲部
５３  立上り片部
５５  第２屈曲部
５７  押え片部
５９  背面
【図１】
2019076578.tif 000003
【図２】
2019076578.tif 000004
【図３】
2019076578.tif 000005
【図４】
2019076578.tif 000006
【図５】
2019076578.tif 000007
【図６】
2019076578.tif 000008